【手続補正書】
【提出日】平成20年6月18日(2008.6.18)
【手続補正１】
【補正対象書類名】明細書
【補正対象項目名】特許請求の範囲
【補正方法】変更
【補正の内容】
【特許請求の範囲】
【請求項１】
目標パケットエラーレートを選択することと、
エラーの目標テール確率を選択することと、前記目標テール確率に対応する第１品質測定基準を決定することとを具備し、パケットエラーレートが前記目標パケットエラーレートより小さい第１データレートを予測することと、
品質測定基準が前記第１の品質測定基準より小さい前記第１のデータレートを選択することと、
パケットエラーレートが前記目標パケットエラーレートより大きい第２のデータレートを予測することと、
パケットエラーレートが前記目標パケットエラーレートより大きい第３のデータレートを予測することと、
前記目標パケットエラーレートを獲得するために前記第１のデータレートまたは前記第２のデータレートまたは前記第３のデータレートを要求することと、
を具備する、通信システムにおける適応データレート選択のための方法。
【請求項２】
前記第１のデータレートの前記品質測定基準はさらに前記第１の品質測定基準の近傍にある、請求項１の方法。
【請求項３】
目標パケットエラーレートを選択することと、
パケットエラーレートが前記目標パケットエラーレートより小さい第１のデータレートを予測することと、
エラーの目標テール確率を選択することと、前記目標テール確率に対応する第１の品質測定基準を決定することと、品質測定基準が前記第１の品質測定基準より大きい第２のデータレートを選択することとを具備し、パケットエラーレートが前記目標パケットエラーレートより大きい第２のデータレートを予測することと、
パケットエラーレートが前記目標パケットエラーレートより大きい第３のデータレートを予測することと、
前記目標パケットエラーレートを獲得するために前記第１のデータレートまたは前記第２のデータレートまたは前記第３のデータレートを要求することと、
を具備した、通信システムにおける適応データレート選択のための方法。
【請求項４】
前記第２のデータレートの前記品質測定基準はさらに前記第１の品質測定基準の近傍にある、請求項３の方法。
【請求項５】
目標パケットエラーレートを選択することと、
パケットエラーレートが前記目標パケットエラーレートより小さい第１のデータレートを予測することと、
パケットエラーレートが前記目標パケットエラーレートより大きい第２のデータレートを予測することと、
エラーの目標テール確率を選択することと、前記目標テール確率に対応する第１の品質測定基準を決定することと、品質測定基準が前記第１の品質測定基準より大きい第３のデータレートを選択し、前記第３のデータレートは、前記第２のデータレートより大きいことを備えた、パケットエラーレートが前記目標パケットエラーレートより大きい第３のデータレートを予測することと、
前記目標パケットエラーレートを獲得するために前記第１のデータレートまたは前記第２のデータレートまたは前記第３のデータレートを要求することと、
を備えた無線通信システムにおける適応データレート選択のための方法。
【請求項６】
前記第３のデータレートは前記第２の品質測定基準の近傍にある、請求項５の方法。
【請求項７】
目標パケットエラーレートを選択することと、
パケットエラーレートが前記目標パケットエラーレートより小さい第１のデータレートを予測することと、
パケットエラーレートが前記目標パケットエラーレートより大きい第２のデータレートを予測することと、
パケットエラーレートが前記目標パケットエラーレートより大きい第３のデータレートを予測することと、
第１のデータレートのための第１のパケットエラーレート確率を決定することと、第２のデータレートのための第２のパケットエラーレート確率を決定することと、第３のデータレートのための第３のパケットエラーレート確率を決定することと、前記第１のパケットエラーレート確率、前記第２のパケットエラーレート確率、および前記第３のパケットエラーレート確率に従って前記第１のデータレートまたは前記第２のデータレートまたは前記第３のデータレートを決定することとを備えた、前記目標パケットエラーレートを獲得するために前記第１のデータレートまたは前記第２のデータレートまたは前記第３のデータレートを要求することと、
を備えた、通信システムにおける適応データレート選択のための方法。
【請求項８】
現在の予測された信号品質測定基準に従って前記第１のパケットエラー確率を変更することと、
前記現在の予測された信号品質基準に従って前記第２のパケットエラーレート確率を変更することと、
現在の予測された信号品質測定基準に従って前記第３のパケットエラーレート確率を変更することと、
をさらに備えた、請求項７の方法。
【請求項９】
前記第１のパケットエラー確率、第２のパケットエラーレート確率、および第３のパケットエラーレート確率を決定することは、真のパケットイベントに従って実行される、請求項７の方法。
【請求項１０】
前記第１のパケットエラー確率、第２のパケットエラーレート確率、および第３のパケットエラーレート確率を決定することは、ファーストトラックメソッドに従って実行される、請求項７の方法。
【請求項１１】
前記第１のデータレートまたは前記第２のデータレートまたは前記第３のデータレートを決定することは、
前記通信システムの第１のスループットが最大化され、前記目標パケットエラーレートが獲得されるように、前記第１のデータレートを選択する第１の確率と前記第２のデータレートを選択する第２の確率を計算することと、
前記通信システムの第２のスループットが最大化され、前記目標パケットエラーレートが獲得されるように、前記第１のデータレートを選択する第３の確率と前記第３のデータレートを選択する第４の確率を計算することと、
前記第１のスループットが前記第２のスループットより大きいとき前記第１の確率と前記第２の確率に従って前記第１のデータレートまたは前記第２のデータレートを選択することと、
前記第１のスループットが前記第２のスループットより小さいとき前記第３の確率と前記第４の確率に従って前記第１のデータレートまたは前記第３のデータレートを選択することと、
を備えた、請求項７の方法。
【請求項１２】
目標パケットエラーレートを記憶するためのメモリと、
前記メモリに接続され、
パケットエラーレートが前記目標パケットエラーレートより大きい第１のデータレートを選択し、
パケットエラーレートが前記目標パケットエラーレートより大きい第２のデータレートを選択し、
パケットエラーレートが前記目標パケットエラーレートより大きい第３のデータレートを選択し、
前記目標パケットエラーレートを獲得するために前記第１のデータレートまたは前記第２のデータレートまたは前記第３のデータレートを要求するように構成されたプロセッサーとを備え、
前記プロセッサーは、
エラーの目標テール確率を選択し、
前記目標テール確率に対応する第１の品質測定基準を決定し、
品質測定基準が前記第１の品質測定基準より小さい前記第１のデータレートを選択するように構成されることにより第１のデータレートを予測する、通信システムにおける適応データレート選択のための装置。
【請求項１３】
前記第１のデータレートの前記品質測定基準は、前記第１の品質測定基準の近傍にある、請求項１２の装置。
【請求項１４】
目標パケットエラーレートを記憶するためのメモリと、
前記メモリに接続され、
パケットエラーレートが前記目標パケットエラーレートより大きい第１のデータレートを選択し、
パケットエラーレートが前記目標パケットエラーレートより大きい第２のデータレートを選択し、
パケットエラーレートが前記目標パケットエラーレートより大きい第３のデータレートを選択し、
前記目標パケットエラーレートを獲得するために前記第１のデータレートまたは前記第２のデータレートまたは前記第３のデータレートを要求するように構成されたプロセッサーとを備え、
前記プロセッサーは、
エラーの目標テール確率を選択し、
前記目標テール確率に対応する第１の品質測定基準を決定し、
品質測定基準が前記第１の品質測定基準より大きい前記第２のデータレートを選択するように構成されることにより第２のデータレートを予測する、通信システムにおける適応データレート選択のための装置。
【請求項１５】
前記第２のデータレートの前記品質測定基準は、前記第１の品質測定基準の近傍にある、請求項１４の装置。
【請求項１６】
目標パケットエラーレートを記憶するためのメモリと、
前記メモリに接続され、
パケットエラーレートが前記目標パケットエラーレートより大きい第１のデータレートを選択し、
パケットエラーレートが前記目標パケットエラーレートより大きい第２のデータレートを選択し、
パケットエラーレートが前記目標パケットエラーレートより大きい第３のデータレートを選択し、
前記目標パケットエラーレートを獲得するために前記第１のデータレートまたは前記第２のデータレートまたは前記第３のデータレートを要求するように構成されたプロセッサーとを備え、
前記プロセッサーは、
エラーの目標テール確率を選択し、
前記目標テール確率に対応する第１の品質測定基準を決定し、
品質測定基準が前記第１の品質測定基準より大きい前記第３のデータレートを選択し、前記第３のデータレートは前記第２のデータレートより大きいように構成されることにより第３のデータレートを予測する、通信システムにおける適応データレート選択のための装置。
【請求項１７】
前記第３のデータレートの前記品質測定基準は、さらに前記第２の品質測定基準の近傍にある、請求項１６の装置。
【請求項１８】
目標パケットエラーレートを記憶するためのメモリと、
前記メモリに接続され、
パケットエラーレートが前記目標パケットエラーレートより大きい第１のデータレートを選択し、
パケットエラーレートが前記目標パケットエラーレートより大きい第２のデータレートを選択し、
パケットエラーレートが前記目標パケットエラーレートより大きい第３のデータレートを選択し、
前記目標パケットエラーレートを獲得するために前記第１のデータレートまたは前記第２のデータレートまたは前記第３のデータレートを要求するように構成されたプロセッサーとを備え、
前記プロセッサーは、
第１のデータレートのための第１のパケットエラーレート確率を決定し、
第２のデータレートのための第２のパケットエラーレート確率を決定し、
第３のデータレートのための第３のパケットエラーレート確率を決定し、
前記第１のパケットエラーレート確率、前記第２のパケットエラーレート確率、および前記第３のパケットエラーレート確率に従って前記第１のデータレートまたは前記第２のデータレートまたは前記第３のデータレートを決定するように構成されることにより前記第１のデータレートまたは前記第２のデーターレートまたは前記第３のデータレートを要求する、通信システムにおける適応データレート選択のための装置。
【請求項１９】
前記プロセッサーはさらに、
現在の予測された信号品質測定基準に従って前記第１のパケットエラーレート確率を変更し、
現在の予測された信号品質測定基準に従って前記第２のパケットエラーレート確率を変更し、
現在の予測された信号品質測定基準に従って前記第３のパケットエラーレート確率を変更するようにさらに構成された、請求項１８の装置。
【請求項２０】
前記プロセッサーは、真のパケットイベントに従って前記第１のパケットエラーレート確率、前記第２のパケットエラーレート確率、および前記第３のパケットエラーレート確率を決定するように構成される、請求項１８の装置。
【請求項２１】
前記プロセッサーは、ファーストトラックメソッドに従って前記第１のパケットエラーレート確率、前記第２のパケットエラーレート確率、および前記第３のパケットエラーレート確率を決定するように構成される、請求項１８の装置。
【請求項２２】
前記プロセッサーは、
前記通信システムの第１のスループットが最大化され、前記目標パケットエラーレートが獲得されるように、前記第１のデータレートを選択する第１の確率と前記第２のデータレートを選択する第２の確率を計算し、
前記通信システムの第２のスループットが最大化され、前記目標パケットエラーレートが獲得されるように、前記第１のデータレートを選択する第３の確率と前記第３のデータレートを選択する第４の確率を計算し、
前記第１のスループットが前記第２のスループットより大きいとき前記第１の確率と前記第２の確率に従って前記第１のデータレートまたは前記第２のデータレートを選択し、
前記第１のスループットが前記第２のスループットより小さいとき前記第３の確率と前記第４の確率に従って前記第１のデータレートまたは前記第３のデータレートを選択するように構成されることにより、前記第１のデータレートまたは前記第２のデータレートまたは前記第３のデータレートを決定する、請求項１８の装置。
【請求項２３】
目標パケットエラーレートを選択することと、
エラーの目標テール確率を選択することと、前記目標テール確率に対応する第１の品質測定基準を決定することと、品質測定基準が前記第１の品質測定基準より小さいデータレートの第１のセットを選択することとを備えた、パケットエラーレートが前記目標パケットエラーレートより小さいデータレートの前記第１のセットを予測することと、
パケットエラーレートが前記目標パケットエラーレートより大きいデータレートの前記第２のセットを予測することと、
前記目標パケットエラーレートを獲得するために前記第１のセットからの第１のデータレート、前記第２のセットからの第２のデータレートを要求することと、
を備えた、通信システムにおける適応データレート選択のための方法。
【請求項２４】
目標パケットエラーレートを選択することと、
パケットエラーレートが前記目標パケットエラーレートより小さいデータレートの第１のセットを予測することと、
エラーの目標テール確率を選択することと、前記目標テール確率に対応する第１の品質測定基準を決定することと、品質測定基準が前記第１の品質測定基準より大きいデータレートの第２のセットを選択することとを備えた、パケットエラーレートが前記目標パケットエラーレートより大きいデータレートの前記第２のセットを予測することと、
前記目標パケットエラーレートを獲得するために前記第１のセットからの第１のデータレート、前記第２のセットからの第２のデータレートを要求することと、
を備えた、通信システムにおける適応データレート選択のための方法。
【請求項２５】
目標パケットエラーレートを選択することと、
パケットエラーレートが前記目標パケットエラーレートより小さいデータレートの第１のセットを予測することと、
パケットエラーレートが前記目標パケットエラーレートより大きいデータレートの第２のセットを予測することと、
各データレートのためのパケットエラー確率を決定することと、前記パケットエラーレート確率に従って前記第１のセットから第１のデータレートを、または前記第２のセットから第２のデータレートを決定することとを備えた、前記目標パケットエラーレートを獲得するために前記第１のセットから前記第１のデータレートを、または前記第２のセットから前記第２のデータレートを要求することと、
を備えた、通信システムにおける適応データレート選択のための方法。
【請求項２６】
現在の予測された信号品質測定基準に従って前記パケットエラーレート確率を変更することをさらに備えた、請求項２５の方法。
【請求項２７】
前記パケットエラーレート確率は、真のパケットイベントに従って実行される、請求項２５の方法。
【請求項２８】
前記パケットエラーレート確率は、ファーストトラックメソッドに従って実行される、請求項２５の方法。
【請求項２９】
前記第１のデータレートまたは前記第２のデータレートを決定することは、
前記通信システムのスループットが最大化され、前記目標パケットエラーレートが獲得されるように前記データレートの各々の確率を計算することと、
前記確率に従って前記第１のデータレートまたは前記第２のデータレートを選択することと、
を備えた、請求項２５の方法。
【請求項３０】
目標パケットエラーレートを記憶するためのメモリと、
前記メモリに接続され、
パケットエラーレートが前記目標パケットエラーレートより小さいデータレートの第１のセットを選択し、
パケットエラーレートが前記目標パケットエラーレートより大きいデータレートの第２のセットを選択し、
前記目標パケットエラーレートを獲得するために前記第１のセットから第１のデータレートを、前記第２のセットから第２のデータレートを要求するように構成されたプロセッサーとを備え、
前記プロセッサーは、
エラーの目標テール確率を選択し、
前記目標テール確率に対応する第１の品質測定基準を決定し、
品質測定基準が前記第１の品質測定基準より小さいデータレートの第１のセットを選択するように構成されることによりデータレートの第１のセットを選択する、通信システムにおける適応データレート選択のための装置。
【請求項３１】
目標パケットエラーレートを記憶するためのメモリと、
前記メモリに接続され、
パケットエラーレートが前記目標パケットエラーレートより小さいデータレートの第１のセットを選択し、
パケットエラーレートが前記目標パケットエラーレートより大きいデータレートの第２のセットを選択し、
前記目標パケットエラーレートを獲得するために前記第１のセットから第１のデータレートを、前記第２のセットから第２のデータレートを要求するように構成されたプロセッサーとを備え、
前記プロセッサーは、
エラーの目標テール確率を選択し、
前記目標テール確率に対応する第１の品質測定基準を決定し、
品質測定基準が前記第１の品質測定基準より大きいデータレートの第２のセットを選択するように構成されることによりデータレートの第２のセットを選択する、通信システムにおける適応データレート選択のための装置。
【請求項３２】
目標パケットエラーレートを記憶するためのメモリと、
前記メモリに接続され、
パケットエラーレートが前記目標パケットエラーレートより小さいデータレートの第１のセットを選択し、
パケットエラーレートが前記目標パケットエラーレートより大きいデータレートの第２のセットを選択し、
前記目標パケットエラーレートを獲得するために前記第１のセットから第１のデータレートを、前記第２のセットから第２のデータレートを要求するように構成されたプロセッサーとを備え、
前記プロセッサーは、
各データレートのためのパケットエラーレート確率を決定し、
各データレートのための前記パケットエラーレート確率に従って、前記第１のセットから前記第１のデータレートを、前記第２のセットから前記第２のデータレートを決定するように構成されることにより前記第１のデータレートまたは前記第２のデータレートを要求する、通信システムにおける適応データレート選択のための装置。
【請求項３３】
前記プロセッサーは、現在の予測された信号品質測定基準に従って各データレートのための前記パケットエラーレート確率を変更するようにさらに構成される、請求項３２の装置。
【請求項３４】
前記プロセッサーは、真のパケットイベントに従って各データレートのための前記パケットエラーレート確率を決定するように構成された請求項３２の装置。
【請求項３５】
前記プロセッサーは、ファーストトラックメソッドに従って各データレートのための前記パケットエラーレート確率を決定するように構成された請求項３２の装置。
【請求項３６】
前記プロセッサーは、
前記通信システムのスループットが最大化され、前記目標パケットエラーレートが獲得されるように前記データレートの各々を選択する確率を計算し、
前記確率に従って、前記第１のデータレートまたは前記第２のデータレートを選択するように構成されることにより、前記第１のデータレートまたは前記第２のデータレートを決定する、請求項３２の装置。
【手続補正２】
【補正対象書類名】明細書
【補正対象項目名】００１２
【補正方法】変更
【補正の内容】
【００１２】
例示ＨＤＲシステムはＡＰがデータパケットをＡＴに送信することのできる３８．４ｋｂｐｓないし２．４Ｍｂｐｓの範囲のデータレートのセットを定義する。そのようなシステムは、この発明の譲受人に譲渡され、参照することによりここに組み込まれる、出願シリアル番号０８／９６３，３８６（発明の名称：「高レートパケットデータ伝送のための方法および装置」）に開示されている。データレートは目標とされたパケットエラーレート（ＰＥＲ）を維持するために選択される。ＡＴは定期的な間隔で信号対干渉および雑音比（ＳＩＮＲ）を測定し、この情報を用いて次のパケット期間の間平均ＳＩＮＲを予測する。例示予測方法は、この発明の譲受人に譲渡され、参照することによりここに組み込まれる、１９９９年９月１３日に出願した出願シリアル番号０９／３９４，９８０（発明の名称：「通信システム性能を改良するために信号対干渉および雑音比を正確に予測するためのシステムおよび方法」）に開示されている。
【手続補正３】
【補正対象書類名】明細書
【補正対象項目名】００２２
【補正方法】変更
【補正の内容】
【００２２】
図２はこの発明の実施例を実現することのできる例示通信システム２００を示す。ＡＴ２０２は逆方向リンク２０６ｂを介してＡＰ２０４に信号を伝送し、順方向リンク２０６ａを介してＡＴ２０４から信号を受信する。通信システム２００は双方向に動作することができる。端末２０２、２０４の各々はデータが各端末２０２、２０４から伝送されるあるいは各端末２０２、２０４において受信されるかに応じて送信装置、受信装置あるいは同時に送受信装置として動作する。セルラ無線通信システム実施例において、ＡＰ２０４は基地局（ＢＳ）、ＡＴ２０２は移動局（ＭＳ）および順方向リンク２０６ａおよび逆方向リンク２０６ｂは電磁スペクトルであり得る。簡単のために、通信システム２００は１つのＢＳ２０４と１つのＭＳ２０２のみを含むように示される。しかしながら、通信システム２００の他の変形および構成が可能である。例えば、マルチユーザ多元接続通信システムにおいて、単一のＢＳは多数のＭＳに同時にデータを伝送するために使用することができる。さらに、この発明の譲受人に譲渡され、参照することによりここに組み込まれる米国特許シリアル番号第５，１０１，５０１（発明の名称：「ＣＤＭＡセルラ電話システムにおけるソフトハンドオフ」）に開示されたソフトハンドオフに類似した態様で、ＭＳは多数のＢＳから同時に伝送を受信することができる。ここに記載された実施例の通信システムは何らかの数のＢＳとＭＳを含むことができる。従って、複数のＢＳの各々は迂回中継２１０に類似した迂回中継を介して基地局コントローラ（ＢＳＣ）２０８に接続される。迂回中継２１０は多数の接続タイプ、例えばマイクロ波、有線Ｅ１またはＴ１、または光ファイバで実現することができる。接続２１２は無線通信システム２００を図示しない公衆データ交換網（ＰＳＤＮ）に接続する。
【手続補正４】
【補正対象書類名】明細書
【補正対象項目名】００２５
【補正方法】変更
【補正の内容】
【００２５】
次に、ＭＳ２０２は実際に選択されたレートを要求するメッセージを逆方向リンク２０６ｂを介して送信する。この発明の一実施例において、メッセージはデータレート制御チャネル（ＤＲＣ）を介して送信される。ＤＲＣの使用は上述した同時係属出願シリアル番号０８／９６３，３８６であり、現在は、米国特許第６，５７４，２１１に開示されている。
【手続補正５】
【補正対象書類名】明細書
【補正対象項目名】００２６
【補正方法】変更
【補正の内容】
【００２６】
一実施例において、ＢＳ２０４は１つ以上のＭＳからの逆チャネルを監視し、各順方向リンク伝送タイムスロット期間にたった１つのＭＳに順方向リンク２０６ａを介してデータを伝送する。ＢＳ２０４は、システム２００のスループットを最大にしたいと思って各ＭＳのサービス程度（ＧｏＳ）要件をバランスするように設計されたスケジューリング手続きに基づいて送信先ＭＳ（例えばＭＳ２０２）を選択する。例示実施例において、ＢＳ２０４は送信先ＭＳから最も最近に受信したメッセージにより示されるレートによってのみ送信先ＭＳ２０２にデータを伝送する。この制約は、送信先ＭＳ２０２が順方向リンク信号に関してレート検出を実行することを不要にする。ＭＳ２０２は所定のタイムスロット期間にそれが意図された送信先ＭＳかどうか判断しさえすればよい。
【手続補正６】
【補正対象書類名】明細書
【補正対象項目名】００３７
【補正方法】変更
【補正の内容】
【００３７】
【数８】
2004507132.tif 000001
ＰはデータレートＲｉを有するパケットがエラー（Ｒｉ＿ｉｎ＿ｅｒｒｏｒ）で受信された確率を示す。
【手続補正７】
【補正対象書類名】明細書
【補正対象項目名】００４１
【補正方法】変更
【補正の内容】
【００４１】
【数９】
2004507132.tif 000002
式（２ｂ）において、βは確率Ｐｉが変更されなければならない量を制御する要素である。β要素はシミュレーションから有利に決定される。例示実施例において、
【数１０】
2004507132.tif 000003
は現在のタイムスロットからオープンループにより予測されるＳＩＮＲであり、
【数１１】
2004507132.tif 000004
は過去のタイムスロットに基づいてオープンループにより予測されるＳＩＮＲである。オープンループ方法は図１を参照して述べられた。次に制御フローはステップ３１２に進む。
【手続補正８】
【補正対象書類名】明細書
【補正対象項目名】００６４
【補正方法】変更
【補正の内容】
【００６４】
【数２１】
2004507132.tif 000005
ステップ３１４において、
【数２２】
2004507132.tif 000006
に対する確率αｉの値はすべての
【数２３】
2004507132.tif 000007
に対してどのレートを要求するかの判断を行うためのバイアスとして使用される。